(57)【要約】【課題】簡易な構成で多階調化を実現する。【解決手段】信号出力回路４０は、選択された走査線３１１に選択電圧が印加される水平走査期間において、ランプ信号Ｖrpから電圧偏位させた信号Ｖr0〜Ｖr3を、表示データの下位２ビットに対応して出力する。セレクタ５６は、データ線２１１に対応して設けられ、選択された走査線３１１と自身に対応するデータ線２１１との交差に対応する画素の表示データのうち、下位２ビットに応じて信号Ｖr0〜Ｖr3のいずれかを選択し、スイッチ５８は、データ線２１１に対応して設けられ、選択された信号Ｖr0〜Ｖr3のいずれかを自身に対応するデータ線２１１に、上記表示データの上位３ビットに応じたタイミングでサンプリングする。【選択図】図１
2007304521.tif 000002
【特許請求の範囲】
【請求項１】
複数の走査線と複数のデータ線との交差に対応して画素電極が設けられ、前記走査線に
選択電圧が印加されたときに前記データ線と前記画素電極との間にて導通状態となるスイ
ッチング素子を含むとともに、前記画素電極が、所定のコモン信号が印加されたコモン電
極と対向し、階調がｍ（ｍは２以上の整数）ビットの表示データで指定される複数の画素
と、
前記複数の走査線を所定の順番で選択するとともに、選択した走査線に前記選択電圧を
印加する走査線駆動回路と、
前記選択された走査線に前記選択電圧が印加される水平走査期間にわたって所定の電位
から電圧を上昇または下降方向に変化させたランプ信号を生成するランプ信号生成回路と
、
前記ランプ信号から電圧偏位させた偏位信号を、前記表示データの所定のビットに対応
して出力する信号出力回路と、
前記複数のデータ線に対応して設けられ、前記偏位信号のうち、選択された走査線と自
身に対応するデータ線との交差に対応する画素の表示データの所定のビットに応じたもの
を選択するセレクタと、
前記複数のデータ線に対応して設けられ、前記セレクタによって選択された偏位信号を
自身に対応するデータ線に、表示データの所定のビットに応じたタイミングでサンプリン
グするスイッチと、
を具備することを特徴とする電気光学装置。
【請求項２】
前記信号出力回路は、下位（ｍ−ｎ）ビット（ｎは、ｍ＞ｎを満たす整数）に対応して
偏位信号を出力するとともに、
前記セレクタは、下位（ｍ−ｎ）ビットに対応して偏位信号を選択し、
前記スイッチは、上位ｎビットに応じたタイミングでサンプリングを行う
ことを特徴とする請求項１に記載の電気光学装置。
【請求項３】
前記信号出力回路は、
前記ランプ信号の電圧を、前記表示データの上位ｎビットに応じたタイミングでサンプ
リングして保持するとともに、当該保持した電圧と前記ランプ信号の電圧とを複数の抵抗
で分圧することにより得た信号を、それぞれ前記表示データの下位（ｍ−ｎ）ビットに対
応した偏位信号として出力する
ことを特徴とする請求項２に記載の電気光学装置。
【請求項４】
前記信号出力回路における複数の抵抗を、前記水平走査期間にわたって固定または可変
とする
ことを特徴とする請求項３に記載の電気光学装置。
【請求項５】
前記コモン信号の電圧を、一の水平走査期間および前記一の水平走査期間に隣接する水
平走査期間にわたって一定とし、
前記ランプ信号生成回路は、前記一の水平走査期間において前記ランプ信号を前記所定
の電位から上昇方向に変化させる一方、前記一の水平走査期間に隣接する水平走査期間に
おいて前記ランプ信号を前記所定の電位から下降方向に変化させる
ことを特徴とする請求項３に記載の電気光学装置。
【請求項６】
前記コモン信号の電圧を、一の水平走査期間において低位または高位のうち、低位の電
圧とし、前記一の水平走査期間に隣接する水平走査期間において前記高位の電圧とし、
前記ランプ信号生成回路は、前記一の水平走査期間において前記ランプ信号を、前記低
位の電圧に応じた電位から上昇方向に変化させる一方、前記一の水平走査期間に隣接する
水平走査期間において前記ランプ信号を、前記高位の電圧に応じた電位から下降方向に変
化させる
ことを特徴とする請求項３に記載の電気光学装置。
【請求項７】
複数の走査線と複数のデータ線との交差に対応して画素電極が設けられ、前記走査線に
選択電圧が印加されたときに前記データ線と前記画素電極との間にて導通状態となるスイ
ッチング素子を含むとともに、前記画素電極がコモン電極と対向し、階調がｍ（ｍは２以
上の整数）ビットの表示データで指定される複数の画素と、
前記複数の走査線を所定の順番で選択するとともに、選択した走査線に前記選択電圧を
印加する走査線駆動回路と、
前記選択された走査線に前記選択電圧が印加される水平走査期間にわたって所定の電位
から電圧を上昇または下降方向に変化させたランプ信号を生成して、前記コモン電極に印
加するランプ信号生成回路と、
前記表示データの所定のビットで規定される各タイミングにおいて、当該タイミングに
応じた差電圧を、前記表示データの所定のビットに対応させて出力する差電圧出力回路と
、
前記複数のデータ線に対応して設けられ、選択された走査線と自身に対応するデータ線
との交差に対応する画素の表示データの所定のビットに応じた差電圧を選択するセレクタ
と、
前記複数のデータ線に対応して設けられ、前記セレクタによって選択された差電圧を自
身に対応するデータ線に、表示データの所定のビットに応じたタイミングでサンプリング
するスイッチと、
を具備することを特徴とする電気光学装置。
【請求項８】
前記差電圧出力回路は、下位（ｍ−ｎ）ビット（ｎは、ｍ＞ｎを満たす整数）に対応し
て前記差電圧を出力するとともに、
前記セレクタは、下位（ｍ−ｎ）ビットに対応して差電圧を選択し、
前記スイッチは、上位ｎビットに応じたタイミングでサンプリングを行う
ことを特徴とする請求項７に記載の電気光学装置。
【請求項９】
請求項１乃至８のいずれかに記載の電気光学装置を有する
ことを特徴とする電子機器。
【発明の詳細な説明】
【技術分野】
【０００１】
本発明は、簡易な構成によって電力消費を抑えつつ多階調化を図って表示を行う技術に
関する。
【背景技術】
【０００２】
液晶などの電気光学的な変化により表示を行う電気光学装置では、走査線に選択電圧が
印加される期間に、階調に応じた電圧を、データ線を介し画素電極に印加する電圧変調方
式が一般的である。ただし、この電圧変調方式では、階調に応じた数の電圧を予め用意す
る必要があるので、電圧生成回路が複雑化して、構成の簡易化を阻害する。
そこで、例えば走査線に選択電圧が印加される期間において、データ線をオンさせて、
階調に応じて電圧を段階的に変化させたランプ信号をデータ線に供給するとともに、階調
に応じた時間が経過した時点で、データ線をオフさせる技術が提案されている（特許文献
１参照）。
【特許文献１】特許第３３６７８０８号公報
【発明の開示】
【発明が解決しようとする課題】
【０００３】
しかしながら、このような技術において、より一層の多階調化を図る場合、ランプ信号
の段階的な変化を細かくする必要があるだけでなく、データ線のオン／オフさせる精度、
すなわち、階調に応じた時間を計測する精度も高める必要がある。
したがって、より一層の多階調化を図る場合には、ランプ信号を段階的に変化させたり
、時間計測のための基準となったりするクロック信号を高周波数化させる必要があり、そ
れに伴う消費電力の増大や、高精度な階調表示が困難になるなどの問題が表面化してきた
。
本発明は、このような事情に鑑みてなされたもので、その目的とするところは、簡易な
構成によって電力消費を抑えつつ、より一層の多階調化を容易に図ることが可能な電気光
学装置および電子機器を提供することにある。
【課題を解決するための手段】
【０００４】
上記目的を達成するため本発明に係る電気光学装置にあっては、複数の走査線と複数の
データ線との交差に対応して画素電極が設けられ、前記走査線に選択電圧が印加されたと
きに前記データ線と前記画素電極との間にて導通状態となるスイッチング素子を含むとと
もに、前記画素電極が、所定のコモン信号が印加されたコモン電極と対向し、階調がｍ（
ｍは２以上の整数）ビットの表示データで指定される複数の画素と、前記複数の走査線を
所定の順番で選択するとともに、選択した走査線に前記選択電圧を印加する走査線駆動回
路と、前記選択された走査線に前記選択電圧が印加される水平走査期間にわたって所定の
電位から電圧を上昇または下降方向に変化させたランプ信号を生成するランプ信号生成回
路と、前記ランプ信号から電圧偏位させた偏位信号を、前記表示データの所定のビットに
対応して出力する信号出力回路と、前記複数のデータ線に対応して設けられ、前記偏位信
号のうち、選択された走査線と自身に対応するデータ線との交差に対応する画素の表示デ
ータの所定のビットに応じたものを選択するセレクタと、前記複数のデータ線に対応して
設けられ、前記セレクタによって選択された偏位信号を自身に対応するデータ線に、表示
データの所定のビットに応じたタイミングでサンプリングするスイッチと、を具備するこ
とを特徴とする。本発明によれば、スイッチにおけるサンプリングの時間的精度や、ラン
プ信号の変化精度などが低くても済むので、構成の簡易化を図りつつ、電力消費を抑える
ことが可能となる。なお、本発明において、ランプ信号には、時間に対して電圧が階段状
に変化する場合も含む。
【０００５】
本発明において、前記信号出力回路は、下位（ｍ−ｎ）ビット（ｎは、ｍ＞ｎを満たす
整数）に対応して偏位信号を出力するとともに、前記セレクタは、下位（ｍ−ｎ）ビット
に対応して偏位信号を選択し、前記スイッチは、上位ｎビットに応じたタイミングでサン
プリングを行う構成が好ましい。
さらに、本発明において、前記信号出力回路は、前記ランプ信号の電圧を、前記表示デ
ータの上位ｎビットに応じたタイミングでサンプリングして保持するとともに、当該保持
した電圧と前記ランプ信号の電圧とを複数の抵抗で分圧することにより得た信号を、それ
ぞれ前記表示データの下位（ｍ−ｎ）ビットに対応した偏位信号として出力する構成とし
ても良い。この構成において、前記信号出力回路における複数の抵抗を、前記水平走査期
間にわたって固定または可変としても良い。
一方、本発明において、前記コモン信号の電圧を、一の水平走査期間および前記一の水
平走査期間に隣接する水平走査期間にわたって一定とし、前記ランプ信号生成回路は、前
記一の水平走査期間において前記ランプ信号を前記所定の電位から上昇方向に変化させる
一方、前記一の水平走査期間に隣接する水平走査期間において前記ランプ信号を前記所定
の電位から下降方向に変化させても良いし、前記コモン信号の電圧を、一の水平走査期間
において低位または高位のうち、低位の電圧とし、前記一の水平走査期間に隣接する水平
走査期間において前記高位の電圧とし、前記ランプ信号生成回路は、前記一の水平走査期
間において前記ランプ信号を、前記低位の電圧に応じた電位から上昇方向に変化させる一
方、前記一の水平走査期間に隣接する水平走査期間において前記ランプ信号を、前記高位
の電圧に応じた電位から下降方向に変化させても良い。
【０００６】
また、上記目的は、複数の走査線と複数のデータ線との交差に対応して画素電極が設け
られ、前記走査線に選択電圧が印加されたときに前記データ線と前記画素電極との間にて
導通状態となるスイッチング素子を含むとともに、前記画素電極がコモン電極と対向し、
階調がｍ（ｍは２以上の整数）ビットの表示データで指定される複数の画素と、前記複数
の走査線を所定の順番で選択するとともに、選択した走査線に前記選択電圧を印加する走
査線駆動回路と、前記選択された走査線に前記選択電圧が印加される水平走査期間にわた
って所定の電位から電圧を上昇または下降方向に変化させたランプ信号を生成して、前記
コモン電極に印加するランプ信号生成回路と、前記表示データの所定のビットで規定され
る各タイミングにおいて、当該タイミングに応じた差電圧を、前記表示データの所定のビ
ットに対応させて出力する差電圧出力回路と、前記複数のデータ線に対応して設けられ、
選択された走査線と自身に対応するデータ線との交差に対応する画素の表示データの所定
のビットに応じた差電圧を選択するセレクタと、前記複数のデータ線に対応して設けられ
、前記セレクタによって選択された差電圧を自身に対応するデータ線に、表示データの所
定のビットに応じたタイミングでサンプリングするスイッチと、を具備する構成の電気光
学装置によっても達成することができる。この構成において、前記差電圧出力回路は、下
位（ｍ−ｎ）ビット（ｎは、ｍ＞ｎを満たす整数）に対応して前記差電圧を出力するとと
もに、前記セレクタは、下位（ｍ−ｎ）ビットに対応して差電圧を選択し、前記スイッチ
は、上位ｎビットに応じたタイミングでサンプリングを行う構成が好ましい。
なお、本発明は、電気光学装置のみならず、当該電気光学装置それ自体を有する電子機
器としても概念することが可能である。
【発明を実施するための最良の形態】
【０００７】
以下、本発明の実施の形態について図面を参照して説明する。
【０００８】
＜第１実施形態＞
まず、本発明の基本形たる第１実施形態について説明する。図１は、第１実施形態に係
る電気光学装置の構成を示すブロック図である。
この図に示されるように、電気光学装置１は、表示領域１００や、タイミング制御回路
１０、走査線駆動回路２０、ランプ信号生成回路３０、信号出力回路４０等を含む。この
うち、表示領域１００は、画素１２０が配列する領域であり、本実施形態では、３２０行
の走査線３１１が行（Ｘ）方向に延在する一方、２４０列のデータ線２１１が列（Ｙ）方
向に延在するように、それぞれ設けられて、これらの３２０行の走査線３１１と２４０列
のデータ線２１１との交差に対応して、画素１２０がそれぞれ配列している。したがって
、本実施形態では、画素１２０が表示領域１００において縦３２０行×横２４０列でマト
リクス状に配列することになるが、本発明をこの配列に限定する趣旨ではない。
【０００９】
ここで、画素１２０の詳細な構成について説明する。図２は、画素１２０の構成を示す
図であり、ｉ行及びこれに隣接する（ｉ＋１）行と、ｊ列及びこれに隣接する（ｊ＋１）
列との交差に対応する２×２の計４画素分の構成が示されている。
なお、ｉ、（ｉ＋１）は、画素１２０が配列する行を一般的に示す場合の記号であって
、１以上３２０以下の整数であり、ｊ、（ｊ＋１）は、画素１２０が配列する列を一般的
に示す場合の記号であって、１以上２４０以下の整数である。
【００１０】
図２に示されるように、各画素１２０は、液晶容量（液晶素子）１３０と、スイッチン
グ素子として機能するｎチャネル型の薄膜トランジスタ（Thin Film Transistor：以下単
に「ＴＦＴ」と略称する）２４１とを有する。各画素１２０については互いに同一構成な
ので、ｉ行ｊ列に位置するもので代表して説明すると、当該ｉ行ｊ列の画素１２０におい
て、ＴＦＴ２４１のゲートはｉ行目の走査線３１１に接続される一方、そのソースはｊ列
目のデータ線２１１に接続され、そのドレインは液晶容量１３０の一端たる画素電極２３
１に接続されている。
【００１１】
また、液晶容量１３０の他端はコモン電極１１０である。このコモン電極１１０は、コ
モン信号Ｖcomが印加されており、図１に示されるように全ての画素１２０にわたって共
通である。なお、本実施形態においてコモン信号Ｖcomの電圧は、時間的に電圧Ｖcで一定
である。ここで、電圧Ｖcは、例えば図４に示されるように、論理信号のＨレベルに相当
する電圧Ｖddと論理信号のＬレベルに相当する電圧Ｖssとの中間電圧である。本実施形態
では、この電圧Ｖssは、実際には接地電位Ｇndであって、電圧ゼロの基準となっている。
【００１２】
液晶容量１３０では、画素電極２３１とコモン電極１１０との差電圧が保持されるとと
もに、液晶容量１３０の透過（または反射）光量が、当該保持電圧の実効値に応じて変化
する構成となっている。
このような構成としては、特に詳述する必要もないと考えられるが、画素電極とコモン
電極とで液晶を挟持して、液晶にかかる電界方向を基板面垂直方向とした方式や、画素電
極、絶縁層およびコモン電極とを積層して、液晶にかかる電界方向を基板面水平方向とし
た方式などが挙げられる。
なお、本実施形態では説明の便宜上、液晶容量１３０において保持される電圧実効値が
ゼロに近ければ、光の透過率が最小となって黒色表示になる一方、電圧実効値が大きくな
るにつれて透過する光量が増加して、ついには透過率が最大の白色表示になるノーマリー
ブラックモードであるとする。
【００１３】
ところで、ＴＦＴ２４１はオフ状態であっても、そのオフ抵抗が理想的な無限大になら
ないので、液晶容量１３０に蓄積された電荷が当該ＴＦＴ２４１を介して少なからずリー
クする。このリークにより液晶容量１３０の保持電圧が低下するのを抑えるために、補助
容量１４０が画素毎に形成されている。この補助容量１４０の一端は、画素電極２３１（
ＴＦＴ２４１のドレイン）に接続される一方、その他端は、コモン電極１１０に接続され
ている。これにより、画素１２０毎に、液晶容量１３０と補助容量１４０とが、ＴＦＴ２
４１のドレインとコモン電極１１０との間において並列的に接続されるので、ＴＦＴ２４
１のオフリークの影響が低減されるようになっている。
なお、液晶にかかる電界方向を基板面垂直方向とした場合、補助容量１４０の他端が形
成される基板とコモン電極１１０が形成された基板とは互いに別々になるが、図示しない
導通材により、補助容量の他端とコモン電極１１０との電気的な接続を図ることにより、
図２に示されるような回路構成にすることが可能である。なお、この補助容量１４０の他
端とコモン電極１１０とは、両者間の電圧が一定であれば、必ずしも同電位である必要は
ない。
【００１４】
説明を再び図１に戻すと、タイミング制御回路１０は、後述するレジスタ５２に表示デ
ータをセットするなど、各部を制御するものである。
ここで、本実施形態において表示データは、画素の階調（明るさ）を５ビットで規定す
るデジタルデータであり、二進値で（０００００）のときに（十進値で「０」）に最も暗
い黒色を指定し、二進値で（１１１１１）のときに（十進値で「３１」）に最も明るい白
色を指定する。
上述したように、本実施形態ではノーマリーブラックモードであるので、表示データの
十進値が増加するにつれて、液晶容量１３０に保持させるべき電圧が高くなる関係となる
。なお、１、２、３、…、２４０の各列のレジスタ５２にセットされる表示データを、Ｄ
a-1、Ｄa-2、Ｄa-3、…、Ｄa-240と表記し、特に列を特定しないで一般的に説明するとき
にはＤa-jと表記する。
【００１５】
走査線駆動回路２０は、タイミング制御回路１０による制御にしたがって、図４に示さ
れるように１、２、３、…、３２０行目の走査線３１１をそれぞれ１水平走査期間（１Ｈ
）毎に順番に選択するとともに、選択した走査線３１１に対しＨレベルに相当する選択電
圧Ｖddを、それ以外の走査線３１１に対しＬレベルに相当する非選択電圧Ｖssを、それぞ
れ走査信号として供給するものである。ここで、１、２、３、…、３２０行目の走査線３
１１に供給される走査信号を、それぞれＹ１、Ｙ２、Ｙ３、…、Ｙ３２０と表記し、走査
信号について特に行を特定しないで一般的に説明するときにはＹｉと表記する。
また、本実施形態において、すべての画素１２０を走査するのに要する期間、すなわち
、１行目から３２０行目までの走査線３１１を順番に選択するのに要する期間を、フレー
ムの期間（１Ｆ）という場合があり、本実施形態では、約１６．７ミリ秒（垂直走査周波
数が６０Ｈｚである場合、その逆数）である。
【００１６】
ランプ信号生成回路３０は、タイミング制御回路１０による制御にしたがって基本とな
るランプ信号Ｖrpを生成するものである。詳細には、ランプ信号生成回路３０は、図４に
示されるように、ランプ信号Ｖrpについて、ある１水平走査期間（１Ｈ）において、電圧
Ｖcから電圧Ｖpまで上昇させる動作と、次の１水平走査期間（１Ｈ）において電圧Ｖcか
ら電圧Ｖmまで下降させる動作とを交互に繰り返す。さらに、ランプ信号生成回路３０は
、互いに隣接するフレームの期間（１Ｆ）において同一の走査線が選択される水平走査期
間に着目したときに、一方がランプ信号Ｖrpの上昇であれば、他方がランプ信号Ｖrpの下
降となるような関係としている。
なお、電圧Ｖp、Ｖmは、電圧Ｖcに対して対称の関係となるように、すなわち、電圧（
Ｖp−Ｖc）と電圧（Ｖc−Ｖm）とは互いに等しくなるように、設定されている。また、図
４においては、論理信号である走査信号と、アナログであるランプ信号Ｖrpとの縦スケー
ル（電圧スケール）については互いに異ならせてある。
【００１７】
信号出力回路４０は、ランプ信号Ｖrpの電圧を、タイミング制御回路１０で指定された
タイミングにおいてサンプリングするとともに、ランプ信号Ｖrpの電圧とサンプリングし
た電圧とを抵抗分割することにより４つの信号（偏位信号）Ｖr0、Ｖr1、Ｖr2、Ｖr3を出
力するものである。
【００１８】
図３は、信号出力回路４０の構成を示すブロック図である。この図に示されるように、
信号出力回路４０は、スイッチ４２と、バッファ回路４４、４６と、コンデンサＣ１、Ｃ
２と、抵抗Ｒ１〜Ｒ４とを含む。まず、ランプ信号Ｖrpは、双投型のスイッチ４２の端子
ａと電圧増幅係数が「１」であるバッファ回路４４の入力端とに供給される。スイッチ４
２の共通端子は、コンデンサＣ１における一方の端子に接続され、端子ｂは、コンデンサ
Ｃ２における一方の端子と電圧増幅係数が「１」であるバッファ回路４６の入力端とに接
続される。そして、バッファ回路４６の出力端における電圧が信号Ｖr0として出力される
一方、バッファ回路４４の出力端とバッファ回路４６の出力端とにおいて直列接続された
抵抗Ｒ１〜Ｒ４によって分圧された電圧が信号Ｖr1、Ｖr2、Ｖr3として、それぞれ出力さ
れる構成となっている。
【００１９】
ここで、スイッチ４２は、タイミング制御回路１０で指定された水平走査期間の開始タ
イミングｔＳとタイミングｔ０〜ｔ７とにおいて、端子ａと共通端子との間で閉成し、当
該ランプ信号Ｖrpの電圧をコンデンサＣ１に保持させる一方、それ以外では、端子ｂと共
通端子との間で閉成する。
本実施形態において、コンデンサＣ１、Ｃ２の容量をＣ１≫Ｃ２に、抵抗Ｒ１〜Ｒ４と
の抵抗値が互いに等しくなるように、それぞれ設定すると、信号出力回路４０からは、タ
イミングｔＳとタイミングｔ０〜ｔ７とにおいて保持したランプ信号Ｖrpの電圧を有する
信号Ｖr0が出力されるとともに、当該信号Ｖr0とランプ信号Ｖrpとの電圧差を４分割した
ときの分割点に位置する電圧の信号Ｖr1、Ｖr2、Ｖr3が出力されることになる。
【００２０】
さて、図１に示されるように、各データ線２１１に対応して、レジスタ５２と、パルス
幅変調器（ＰＷＭ）５４と、セレクタ５６と、スイッチ５８との組が設けられる。
このうち、１、２、３、…、２４０列目に対応するレジスタ５２は、タイミング制御回
路１０による制御したがって列に対応する画素の表示データＤa-1、Ｄa-2、Ｄa-3、…、
Ｄa-240を保持するものである。詳細には、タイミング制御回路１０は、走査信号Ｙｉが
Ｈレベルとなるように走査線駆動回路２０を制御するときに、ｉ行目であって１、２、３
、…、２４０列の画素の階調を指定する５ビットの表示データを、１、２、３、…、２４
０列目に対応するレジスタ５２にそれぞれセットする。これにより、１、２、３、…、２
４０列目に対応するレジスタ５２は、列に対応する画素の表示データを保持することにな
る。このため、ｊ列目のデータ線２１１に対応したもので一般化して説明すると、ｊ列目
に対応するレジスタ５２には、走査信号ＹｉがＨレベルとなる前にｉ行ｊ列の画素に対応
する表示データＤa-jがセットされることになる。
【００２１】
ｊ列目に対応するパルス幅変調器５４は、ｊ列目のレジスタ５２にセットされた表示デ
ータＤa-jの上位３ビットにしたがったパルス幅を有する信号Ｐjを出力するものである。
詳細には、ｊ列目に対応するパルス幅変調器５４は、１水平走査期間の開始タイミングｔ
Ｓから、ｊ列目のレジスタ５２にセットされた５ビットの表示データＤa-jのうち、上位
３ビットで規定されるタイミングまで、Ｈレベルとし、次の１水平走査期間の開始までＬ
レベルとなるような信号Ｐjを出力するものである。
ここで、上位３ビットで規定されるタイミングとは、本実施形態では、図５に示される
ように、１水平走査期間の開始タイミングｔＳから順番に規定されたタイミングｔ０、ｔ
１、ｔ２、…、ｔ７をいい、このうち、タイミングｔ０が、（０００ｘｘ）である場合の
表示データに対応している。同様に、タイミングｔ１、ｔ２、…、ｔ７が、それぞれ（０
０１ｘｘ）、（０１０ｘｘ）、…、（１１１ｘｘ）である場合の表示データに対応してい
る。なお、ここでは、下位２ビットは任意であるので、ｘｘと表記している。  
このため、ｊ列目のレジスタ５２にセットされた表示データＤa-jの上位３ビットが例
えば（１００ｘｘ）であれば、信号Ｐjは、１水平走査期間の開始タイミングｔＳからタ
イミングｔ４までＨレベルとなり、次の１水平走査期間の開始タイミングｔＳまでＬレベ
ルとなる。
なお、タイミングｔ０、ｔ１、ｔ２、…、ｔ７は、等間隔に配列しておらず、液晶に対
する電圧−透過（反射）率特性を考慮した間隔で規定される。
【００２２】
また、ｊ列目のセレクタ５６は、信号出力回路４０による信号Ｖr0、Ｖr1、Ｖr2、Ｖr3
のいずれかを、ｊ列目のレジスタ５２にセットされた表示データＤa-jの下位２ビットに
したがって選択するものである。詳細には、ｊ列目のセレクタ５６は、レジスタ５２にセ
ットされた表示データＤa-jの下位２ビットが（ｘｘｘ００）であれば、信号Ｖr0を選択
し、（ｘｘｘ０１）、（ｘｘｘ１０）、（ｘｘｘ１１）であれば、それぞれ信号Ｖr1、Ｖ
r2、Ｖr3を選択する。なお、ここでは、上位３ビットは任意であるので、ｘｘｘと表記し
ている。
【００２３】
続いて各列のスイッチ５８は単投型であり、一端がセレクタ５６の出力端に接続され、
他端がデータ線２１１に接続されている。そして、ｊ列目のスイッチ５８は、信号Ｐjが
Ｈレベルであればオンし、Ｌレベルであればオフする。このため、ｊ列目のデータ線２１
１は、信号ＰjがＬレベルであれば、スイッチ５８のオフにより電気的に浮いた状態（ハ
イ・インピーダンス状態）となる。
便宜的に１、２、３、…、２４０列目のデータ線２１１の電圧をＳ１、Ｓ２、Ｓ３、…
、Ｓ２４０と表記し、特に列を指定しないで説明するためにｊ列目のデータ線２１１の電
圧を示すときにはＳｊと表記する。
【００２４】
次に、上述した実施形態に係る電気光学装置１における動作について説明する。
上述したように１フレームの期間では、走査信号Ｙ１、Ｙ２、Ｙ３、…、Ｙ３２０が順
番にＨレベルとなる。
ここで、ｉ行ｊ列の画素１２０について着目するため、ｉ行目の走査信号ＹｉがＨレベ
ルとなる水平走査期間（１Ｈ）において、ランプ信号Ｖrpが電圧Ｖcから電圧Ｖpまで上昇
する場合の信号Ｖr0、Ｖr1、Ｖr2、Ｖr3について図５を参照して説明する。
【００２５】
この場合、信号出力回路４０では、１水平走査期間（１Ｈ）の開始タイミングｔＳにお
いてスイッチ４２が端子ａおよび共通端子の間で閉成するので、コンデンサＣ１によって
ランプ信号Ｖrpの初期値である電圧Ｖcが保持される。タイミングｔＳの後、タイミング
ｔ０までの期間ではスイッチ４２が端子ｂおよび共通端子の間で閉成するので、保持され
た電圧Ｖcがそのまま信号Ｖr0の電圧として出力される。このため、図５に示されるよう
に、信号Ｖr0の電圧は、１水平走査期間の開始タイミングｔＳからタイミングｔ０まで電
圧Ｖcを維持する。また、ランプ信号Ｖrpは、開始タイミングｔＳから上昇を開始するの
で、タイミングｔ０までであれば、信号Ｖr1、Ｖr2、Ｖr3の電圧は、ランプ信号Ｖrpの電
圧と電圧Ｖcとの間を、それぞれ３：１、２：２（＝１：１）、１：３に内分したものと
なる。
次に、タイミングｔ０に至ると、スイッチ４２が端子ａおよび共通端子の間で再び閉成
するので、コンデンサＣ１によってランプ信号Ｖrpのタイミングｔ０における電圧Ｖ1が
保持される。タイミングｔ０の後、タイミングｔ１までの期間ではスイッチ４２が端子ｂ
および共通端子の間で閉成するので、保持された電圧Ｖ1が信号Ｖr 0として出力される。
このため、信号Ｖr0は、タイミングｔ０からタイミングｔ１まで電圧Ｖ1を維持する。ま
た、ランプ信号Ｖrpの電圧は、上昇し続けるので、タイミングｔ１までであれば、信号の
Ｖr1、Ｖr2、Ｖr3の電圧は、ランプ信号Ｖrpの電圧と電圧Ｖ1との間を、それぞれ３：１
、１：１、１：３に内分したものとなる。
【００２６】
以下同様な動作が繰り返されると、信号Ｖr0は、タイミングｔＳ、ｔ０、ｔ１、ｔ２、
…、ｔ６におけるランプ信号Ｖrpの電圧Ｖc、Ｖ1、Ｖ2、Ｖ3、…、Ｖ7を、それぞれ次の
タイミングｔ０、ｔ１、ｔ２、ｔ３、…、ｔ７まで維持したような階段状の波形となり、
信号Ｖr1、Ｖr2、Ｖr3は、ランプ信号Ｖrpの電圧と当該信号Ｖr0との間を、それぞれ３：
１、１：１、１：３に内分したものとなる。
そして、これらの信号Ｖr0、Ｖr1、Ｖr2、Ｖr3のいずれかが、ｊ列目にあっては、レジ
スタ５２にセットされた表示データＤa-jの下位２ビットに応じてセレクタ５６によって
選択されることになる。
【００２７】
また、ｉ行ｊ列の画素に対応する表示データＤa-jの上位３ビットに応じたパルス幅の
信号Ｐjが、ｊ列目のパルス幅変調器５４によって出力される。信号ＰjがＨレベルであれ
ば、ｊ列目のスイッチ５８がオンするので、ｊ列目のセレクタ５６によって選択された信
号Ｖr0、Ｖr1、Ｖr2、Ｖr3のいずれかが、信号ＰjのＨレベルとなる期間にわたってｊ列
目のデータ線２１１に印加されることになる。
信号Ｐjは、当該期間経過後ではＬレベルになり、ｊ列目のスイッチ５８がオフするの
で、当該ｊ列目のデータ線２１１がハイ・インピーダンス状態となる。ただし、データ線
２１１は、寄生容量によって電圧保持性を有するので、その電圧状態は、スイッチ５８が
オンしていれば、セレクタ５６により選択された信号の電圧となり、スイッチ５８がオフ
していれば、オフする直前における当該選択されたランプ信号の電圧となる。
ｊ列目のスイッチ５８がオフとなるのは、信号ＰjがＬレベルになるタイミングであり
、このタイミングは、ｊ列目のレジスタ５２にセットされた表示データＤa-jの上位３ビ
ットで規定される。したがって、ｊ列目のスイッチ５８は、ｊ列目のセレクタ５６により
選択されたランプ信号の電圧を、当該表示データＤa-jの上位３ビットに応じたタイミン
グで、ｊ列目のデータ線２１１にサンプリングすることになる。
【００２８】
このため、当該１水平走査期間（１Ｈ）におけるｊ列目のデータ線２１１の最終電圧は
、ｉ行ｊ列の画素に対応する表示データＤa-jの下位２ビットに応じて選択された信号Ｖr
0、Ｖr1、Ｖr2、Ｖr3のうち、上位３ビットで規定されたタイミングｔ０〜ｔ７における
状態のものとなり、結局、ｉ行ｊ列の表示データＤa-jに応じて一意に定まることになる
。例えば、ランプ信号Ｖrpが上昇変化する１水平走査期間（１Ｈ）において、ｉ行ｊ列の
表示データＤa-jが（１００１０）であれば、ｊ列目のデータ線２１１の電圧Ｓｊは、図
５に示されるように、当該表示データの上位３ビットで規定されるタイミングｔ４までで
あれば、当該表示データの下位２ビットで規定される信号Ｖr2の電圧となり、当該タイミ
ングｔ４以降では、当該タイミングｔ４における信号Ｖr2の電圧に（次の１水平走査期間
の開始まで）維持されることになる。
【００２９】
一方、走査信号ＹｉがＨレベルであれば、ｉ行目の走査線３１１に位置する１行分の画
素１２０において、ＴＦＴ２４１がオン状態となる。ｊ列目のデータ線２１１に印加され
る電圧は、上述したように当該１水平走査期間の開始タイミングｔＳから変化するが、当
該１水平走査期間（１Ｈ）において変化が停止したときの電圧は、ｉ行ｊ列の表示データ
Ｄa-jに応じて一意に定まる。
このため、当該１水平走査期間（１Ｈ）において、ｉ行ｊ列の画素電極２３１には、ｉ
行ｊ列の表示データＤa-jに応じた電圧が印加されることになるので、ｉ行ｊ列の液晶容
量１３０には、表示データＤa-jに応じた電圧とコモン信号Ｖcomの電圧Ｖcとの差電圧が
書き込まれる。このとき、ランプ信号Ｖrpが上昇変化する場合であれば、画素電極２３１
がコモン電極１１０よりも高位となり正極性書込となる。
例えば、ｉ行ｊ列の表示データＤa-jが（１００１０）であれば、上述した電圧Ｓｊが
ｉ行ｊ列の画素電極２３１に印加されるので、ｉ行ｊ列の液晶容量１３０には、図５にお
いて↑で示されるような差電圧が画素電極２３１を高位側とした正極性で書き込まれるこ
とになる。
なお、当該１水平走査期間（１Ｈ）が終了して、走査信号ＹｉがＬレベルに変化すると
、ＴＦＴ２４１がオフするが、液晶容量１３０自身が有する電圧保持性と補助容量１４０
とによって、書き込まれた差電圧が保持される。このため、当該液晶容量を透過する光量
は、当該差電圧に応じたものとなる。
また、図５においては、論理信号である信号Ｐjと、アナログであるランプ信号Ｖrp、
信号Ｖr0〜Ｖr3との縦スケール（電圧スケール）については互いに異ならせてあり、この
点については、後述する図６についても同様である。
ここでは、ｉ行目の画素のうち、ｊ列目に位置するもので代表して動作説明したが、走
査信号ＹｉがＨレベルとなる期間においては、ｉ行目に位置する１〜２４０列の画素１行
分のすべてについてｊ列目のような書き込みが同時並行的に実行される。
【００３０】
次の１水平走査期間（１Ｈ）においては、走査信号Ｙ（ｉ＋１）がＨレベルとなるので
、（ｉ＋１）行目に位置する１行分の画素について書き込みが同様に実行される。
ただし、走査信号ＹｉがＨレベルとなる１水平走査期間（１Ｈ）において、ランプ信号
Ｖrpが上昇変化していれば、次の走査信号Ｙ（ｉ＋１）がＨレベルとなる１水平走査期間
（１Ｈ）では、ランプ信号Ｖrpが電圧Ｖcから電圧Ｖmに下降変化する。それ以外の動作は
、走査信号ＹｉがＨレベルとなる１水平走査期間（１Ｈ）と同じである。
このため、信号Ｖr0、Ｖr1、Ｖr 2、Ｖr3は、図６に示されるように、電圧Ｖcを基準に
して、走査信号ＹｉがＨレベルとなる１水平走査期間（１Ｈ）の波形（図５参照）を反転
させた波形となる。
したがって、走査信号Ｙ（ｉ＋１）がＨレベルとなる１水平走査期間（１Ｈ）において
も、（ｉ＋１）行ｊ列の液晶容量１３０に、表示データＤa-jに応じた電圧とコモン信号
Ｖcomの電圧Ｖcとの差電圧が書き込まれることになるが、画素電極２３１がコモン電極１
１０よりも低位となるので、負極性書込となる。
例えば、（ｉ＋１）行ｊ列の表示データＤa-jが（１００１０）であれば、ｉ行ｊ列の
液晶容量１３０には、図６において↓で示されるような差電圧が画素電極２３１を低位側
とした負極性で書き込まれることになる。
【００３１】
ここでは、互いに隣接するｉおよび（ｉ＋１）行目の書き込みついて説明しているが、
このような書き込みは、１フレームの期間（１Ｆ）において、１、２、３、…、３２０行
目の順番で１水平走査期間（１Ｈ）毎に実行されて、１毎の画像が表示されることになる
。また、次の１フレームの期間（１Ｆ）では、各行において書込極性が反転して同様な書
き込みが実行されることになる。
【００３２】
このように、本実施形態によれば、１水平走査期間（１Ｈ）においてランプ信号Ｖrpの
電圧を偏位させた信号Ｖr0、Ｖr1、Ｖr2、Ｖr3のいずれを表示データの下位２ビットに応
じて選択するとともに、この選択したランプ信号を、１水平走査期間（１Ｈ）の開始タイ
ミングｔＳから、表示データの上位３ビットで規定されるタイミングｔ０〜ｔ７までデー
タ線２１１に印加するので、データ線２１１にサンプリングされる電圧が、表示データの
５ビットに応じて一意に定まる。このため、本実施形態では、各画素において、表示デー
タの５ビットに応じて３２段階の階調表示が可能となる。
【００３３】
このとき、本実施形態では、１水平走査期間（１Ｈ）においてＨレベルからＬレベルに
変化させるタイミングを、表示データの上位３ビットで規定するので、タイミングｔ０〜
ｔ７の８個を設定するだけで済む。したがって、本実施形態によれば、表示データの全５
ビットに応じて３２個を設定する場合と比較して、設定すべきタイミング数が１／４に減
るので、各タイミングを細かい分解能で規定する必要がなくなる。タイミングの分解能は
、クロック信号（図示省略）の周波数で決まるので、各タイミングの分解能を細かくしな
いで済む、ということはクロック信号の周波数が低くて済む、ということを意味する。こ
のため、本実施形態では、構成の簡易化や消費電力を抑えることが可能となる。
また、本実施形態では、ランプ信号生成回路３０によって生成されたランプ信号Ｖrpの
電圧を、信号出力回路４０がサンプル・ホールドすることによって信号Ｖr0とするととも
に、この信号Ｖr0とランプ信号Ｖrpとを分圧することによって信号Ｖr1、Ｖr2、Ｖr3を出
力して、これらの信号Ｖr0、Ｖr1、Ｖr2、Ｖr3のいずれかを、表示データの下位２ビット
に応じて選択する構成となっている。したがって、生成するランプ信号は、基本となるラ
ンプ信号Ｖrpの１つだけで済むので、構成の複雑化を避けることも可能となる。
【００３４】
なお、第１実施形態では、ランプ信号Ｖrpを電圧Ｖcから電圧Ｖpまたは電圧Ｖmまで直
線的に変化させたが、表示特性に合わせて弓なりの曲線的特性（いわゆるγ特性）で変化
させる構成としても良いし、階段状に変化させる構成でも良い。
また、本実施形態では、隣接階調値の間における電圧が等分であるものとして、信号出
力回路４０における抵抗Ｒ１〜Ｒ４が同一値となるように設定した。しかしながら、液晶
の電圧−透過（反射）率特性は、白または黒色付近では、電圧変化に対して透過率変化が
上に凸の曲線あるいは下に凸の曲線特性を持ち、中間の灰色付近では、同じ電圧変化に対
して透過率変化がほぼ直線的な特性を持つことが多いので、実際には、隣接階調値の間に
おける電圧は、必ずしも等分にはならない。このため、隣接階調値の間における電圧が等
分であると近似できない場合には、抵抗Ｒ１〜Ｒ４を異ならせても良いし、さらに、抵抗
Ｒ１〜Ｒ４を可変抵抗（いわゆる電子ボリューム）にするとともに、タイミングｔ０〜ｔ
７毎に、液晶の電圧−透過（反射）率特性に合わせて抵抗値を変化させる構成としても良
い。また、信号Ｖr1、Ｖr2、Ｖr3の出力インピーダンスを下げるために、増幅度「１」の
バッファ回路を設けても良い。
【００３５】
また、第１実施形態では、コモン電極１１０に印加するコモン信号Ｖcomを電圧Ｖcとし
て時間的に一定とする一方、ランプ信号Ｖrpの変化開始点を当該電圧Ｖcとした構成とし
たが、正極性書込と負極性書込とにおいて、コモン信号Ｖcomの電圧とランプ信号Ｖrpの
変化開始電圧とが一定の関係を保つ構成であれば良い。
例えば図７に示されるように、コモン信号Ｖcomを、高位側の電圧Ｖcと低位側の電圧Ｖ
mとで１水平走査期間（１Ｈ）毎に交互に切り替えるとともに、コモン信号Ｖcomが電圧Ｖ
cであれば、ランプ信号Ｖrpの変化開始点を電圧Ｖcとして電圧Ｖmまで下降方向に変化さ
せる一方、コモン信号Ｖcomが電圧Ｖmであれば、ランプ信号Ｖrpの変化開始点を電圧Ｖm
として電圧Ｖcまで上昇方向に変化させる構成としても良い。
このような構成にすると、ランプ信号Ｖrpの電圧範囲が、図４と比較して半分になるの
で、ランプ信号生成回路３０に要求される耐圧が低くて済むだけでなく、データ線の電圧
範囲も半分になるので、パルス幅変調器５４、セレクタ５６、スイッチ５８を構成する素
子の耐圧も低くて済む。このため、構成の簡易化をさらに推し進めることが可能となる。
なお、ランプ信号Ｖrpの変化開始電圧と、コモン電極１１０の電圧とが必ずしも同一で
ある必要はなく、一定値離間しても良い。
また、スイッチ５８がオフするタイミングで、セレクタ５６がいずれの信号も選択しな
い(総てオフ)ような回路構成として、セレクタ５６にスイッチ５８の機能を併せ持たせ、
これにより回路の簡略化を図っても良い。なお、このようにセレクタ５６にスイッチ５８
の機能を併せ持たせた回路とした場合、当該回路が、本願発明でいうセレクタとスイッチ
とに相当することになる。
【００３６】
＜第２実施形態＞
上述した第１実施形態では、１水平走査期間（１Ｈ）において、データ線２１１の側か
らＴＦＴ２４１を介して、電圧変化する信号Ｖr0、Ｖr1、Ｖr2、Ｖr3のいずれかを画素電
極２３１に印加する一方、コモン電極１１０に印加するコモン信号Ｖcomの電圧を一定に
保ったが、この関係を入れ替えても良い。
そこで、コモン信号Ｖcomをランプ信号として電圧変化させる一方、データ線２１１側
から、そのランプ信号の電圧を表示データの下位ビットで調整する第２実施形態について
説明することにする。
【００３７】
図８は、本発明の第２実施形態に係る電気光学装置の構成を示すブロック図である。こ
の図に示される第２実施形態が、図１に示した第１実施形態と相違する点は、ランプ信号
生成回路３０により生成されたランプ信号Ｖrpがコモン電極１１０に印加される点、およ
び、差電圧供給回路６０が設けられて、信号出力回路４０による信号Ｖr0、Ｖr1、Ｖr2、
Ｖr3の代わりに信号Ｖqo、Ｖq1、Ｖq2、Ｖq3が各列のセレクタ５６に供給される点にあり
、他の構成については、第１実施形態とは同一である。
【００３８】
第２実施形態において、差電圧供給回路６０は、各タイミングｔ０、ｔ１、ｔ２、ｔ３
、…、ｔ７において、次のような電圧の信号Ｖqo、Ｖq1、Ｖq2、Ｖqを出力する。詳細に
は、差電圧供給回路６０は、ランプ信号Ｖrpが電圧Ｖcから電圧Ｖpまで上昇変化する１水
平走査期間（１Ｈ）においては、図９に示されるように、各タイミングｔ０、ｔ１、ｔ２
、ｔ３、…、ｔ７において、ランプ信号Ｖrpの電圧から第１実施形態の信号Ｖr0、Ｖr1、
Ｖr2、Ｖr3に相当する電圧を減じて、その減じた電圧だけそれぞれ電圧Ｖcに上乗せした
電圧の信号Ｖq0、Ｖq1、Ｖq2、Ｖq3を出力する。
一方、差電圧供給回路６０は、ランプ信号Ｖrpが電圧Ｖcから電圧Ｖmまで下降変化する
１水平走査期間（１Ｈ）においては、図１０に示されるように、各タイミングｔ０、ｔ１
、ｔ２、ｔ３、…、ｔ７において、第１実施形態の信号Ｖr0、Ｖr1、Ｖr2、Ｖr3に相当す
る電圧から、ランプ信号Ｖrpの電圧を減じて、その減じた電圧だけそれぞれ電圧Ｖcから
下方向に移動させた電圧の信号Ｖq0、Ｖq1、Ｖq2、Ｖq3を出力する。
すなわち、これらの信号Ｖq0、Ｖq1、Ｖq2、Ｖq3の電圧は、各タイミングｔ０、ｔ１、
ｔ２、ｔ３、…、ｔ７におけるランプ信号Ｖrpの電圧との差が、第１実施形態における信
号Ｖr0、Ｖr1、Ｖr2、Ｖr3と電圧Ｖcとの差にそれぞれ等しくなるような電圧であり、換
言すれば、各タイミングおよび表示データの下位２ビットに対応した電圧である。
なお、図９、図１０においては、論理信号である信号Ｐjと、アナログであるランプ信
号Ｖrp、信号Ｖq0〜Ｖq3とdの縦スケール（電圧スケール）については互いに異ならせて
ある。
【００３９】
第２実施形態では、ｊ列目のデータ線２１１がハイ・インピーダンス状態になるタイミ
ングは、第１実施形態と同様に、表示データＤa-jの上位３ビットで規定されるが、コモ
ン電極１１０に印加されたランプ信号Ｖrpの電圧は、スイッチ５８のオフと無関係に、走
査信号ＹｉがＨレベルとなる１水平走査期間（１Ｈ）にわたって上昇または下降変化する
。ただし、当該水平走査期間では、ｉ行目に位置するＴＦＴ２４１のオン状態が継続して
いるので、ハイ・インピーダンス状態となったｊ列目のデータ線２１１の電圧Ｓｊは、ス
イッチ５８がオフになった瞬間から、ランプ信号Ｖrpの電圧と同じ割合で変化する（図示
省略）。このため、ｉ行ｊ列の液晶容量１３０に対する書き込み電圧は、第１実施形態と
同様に、走査信号ＹｉがＨレベルとなっている１水平走査期間（１Ｈ）において、ｊ列目
のスイッチ５８がオフした瞬間のデータ線の電圧Ｓｊと、ランプ信号Ｖrpの電圧との差電
圧に確定することになる。
第２実施形態において、ｊ列目のスイッチ５８がオフする瞬間のデータ線の電圧Ｓｊは
、表示データＤa-jの下位２ビットに応じて選択された信号Ｖq0、Ｖq1、Ｖq2、Ｖq3の電
圧のいずれかである。各タイミングｔ０、ｔ１、ｔ２、ｔ３、…、ｔ７において、信号Ｖ
q0、Ｖq1、Ｖq2、Ｖq3とランプ信号Ｖrpの電圧との差は、第１実施形態の信号Ｖr0、Ｖr1
、Ｖr2、Ｖr3と電圧Ｖcとの差にそれぞれ等しいので、第２実施形態においても、各液晶
容量１３０に、表示データに応じた電圧と電圧Ｖcとの差電圧が書き込まれることになる
。
【００４０】
第２実施形態によれば、第１実施形態の応用例（図９参照）と比較しても、データ線に
印加される電圧範囲をさらに狭くすることが可能となるので、各列に設けられるパルス幅
変調器５４、セレクタ５６、スイッチ５８を構成する素子の耐圧も低くて済む結果、構成
の簡易化をなお一層推し進めることが可能となる。
【００４１】
なお、第２実施形態において、信号Ｖq0、Ｖq1、Ｖq2、Ｖq3の変化タイミングを、各タ
イミングｔ０、ｔ１、ｔ２、ｔ３、…、ｔ７よりも先行させていたが、これは、データ線
２１１がハイ・インピーダンス状態になるタイミングと一致すると、スイッチ５８のスイ
ッチング特性によっては目的とする電圧をデータ線に十分に印加することができなくなる
のを避けるためである。このため、スイッチ５８のスイッチング特性が良好であれば、信
号Ｖq0、Ｖq1、Ｖq2、Ｖq3の変化タイミングと、各タイミングｔ０、ｔ１、ｔ２、ｔ３、
…、ｔ７とを一致させても良い。
【００４２】
上述した説明では、表示データを５ビットとし、このうち上位３ビットに応じて１水平
走査期間におけるタイミングｔ０〜ｔ７を規定する一方、下位２ビットに応じた電圧をセ
レクタ５６によって選択する構成としたが、表示データについては上位・下位ビットに分
けることのできるように最低限２ビット以上であれば良い。
さらに、実施形態では、電圧無印加状態において黒色を表示するノーマリーブラックモ
ードとしたが、電圧無印加状態において白色を表示するノーマリーホワイトモードとして
も良い。また、Ｒ（赤）、Ｇ（緑）、Ｂ（青）の３画素で１ドットを構成して、カラー表
示を行うとしても良い。表示領域１００は透過型に限られず、反射型や、両者の中間的な
半透過半反射型であっても良い。
また、液晶に限られず、例えば電圧に応じて階調を制御可能なＥＬ（エレクトロルミネ
ッセンス）素子にも適用可能である。
【００４３】
＜電子機器＞
次に、上述した実施形態に係る電気光学装置１を表示装置として有する電子機器につい
て説明する。図１１は、実施形態に係る電気光学装置１を用いた携帯電話１２００の構成
を示す図である。
この図に示されるように、携帯電話１２００は、複数の操作ボタン１２０２のほか、受
話口１２０４、送話口１２０６とともに、上述した電気光学装置１を備えるものである。
なお、電気光学装置１のうち、表示領域１００以外の構成要素については外観としては現
れない。
【００４４】
なお、電気光学装置１が適用される電子機器としては、図１１に示される携帯電話の他
にも、デジタルスチルカメラや、ノートパソコン、液晶テレビ、ビューファインダ型（ま
たはモニタ直視型）のビデオレコーダ、カーナビゲーション装置、ページャ、電子手帳、
電卓、ワードプロセッサ、ワークステーション、テレビ電話、ＰＯＳ端末、タッチパネル
を備えた機器等などが挙げられる。そして、これらの各種電子機器の表示装置として、上
述した電気光学装置１が適用可能であることは言うまでもない。
【図面の簡単な説明】
【００４５】
【図１】本発明の第１実施形態に係る電気光学装置の構成を示すブロック図である。
【図２】同電気光学装置における画素の構成を示す図である。
【図３】同電気光学装置における信号出力回路の構成を示す図である。
【図４】同電気光学装置の動作を説明するための図である。
【図５】同電気光学装置の動作を説明するための図である。
【図６】同電気光学装置の動作を説明するための図である。
【図７】同電気光学装置の応用例における動作を説明するための図である。
【図８】本発明の第２実施形態に係る電気光学装置の構成を示すブロック図である。
【図９】同電気光学装置の動作を説明するための図である。
【図１０】同電気光学装置の動作を説明するための図である。
【図１１】実施形態に係る電気光学装置を適用した携帯電話を示す図である。
【符号の説明】
【００４６】
１…電気光学装置、１０…タイミング制御回路、２０…走査線駆動回路、３０…ランプ信
号生成回路、４０…信号出力回路、５２…レジスタ、５４…パルス幅変調器、５６…セレ
クタ、５８…スイッチ、１１０…コモン電極、１２０…画素、２１１…データ線、２３１
…画素電極、２４１…ＴＦＴ、３１１…走査線、１２００…携帯電話
【図１】
2007304521.tif 000003
【図２】
2007304521.tif 000004
【図３】
2007304521.tif 000005
【図４】
2007304521.tif 000006
【図５】
2007304521.tif 000007
【図６】
2007304521.tif 000008
【図７】
2007304521.tif 000009
【図８】
2007304521.tif 000010
【図９】
2007304521.tif 000011
【図１０】
2007304521.tif 000012
【図１１】
2007304521.tif 000013